(57)【特許請求の範囲】
【請求項１】
本体と、前記本体に設けた洗浄槽と、前記洗浄槽に設けた開口部と、前記開口部を開閉自在に覆う複数個の扉体と、前記複数個の扉体を連動して開閉動作させる連動機構とを備え、
前記連動機構は、複数個の扉体を夫々支持する複数個の扉体支持手段を、夫々複数個の連結点で連動部と連結し、前記扉体支持手段と前記連動部とのいずれか一方に長穴部を設けることにより前記複数個の連結点のうちいずれか一つの連結点があそびを有し、
前記あそびによる前記扉体の動きを規制するガイド手段を設けることにより、一方の扉体が開閉動作の所定位置にある時のみ、他方の扉体を開放方向へ所定量動作させることが可能な構成とした食器洗い機。
【請求項２】
前記ガイド手段は、前記扉体支持手段と前記連動部とのいずれか一方に設けられたガイド突起部と、他方に設けられたガイド溝部とから構成され、前記ガイド溝部が前記ガイド突起部の動作を規制することで、一方の扉体が開閉動作の所定位置にある時のみあそびを有する構成とした請求項１に記載の食器洗い機。
【請求項３】
一方の扉体が開閉動作の所定位置にある時、単独で所定量動作可能な他方の扉体を開放する方向に付勢した請求項１又は２に記載の食器洗い機。
【請求項４】
所定位置は、一方の扉体が閉成状態にある位置とした請求項１〜３のいずれか１項に記載の食器洗い機。
【発明の詳細な説明】
【技術分野】
【０００１】
本発明は、食器等を洗浄する食器洗い機に関するもので、特に扉開閉機構に関するもの
である。
【背景技術】
【０００２】
従来のこの種の食器洗い機は、図１０〜１３に示すように構成されている（例えば、特許文献１参照）。
【０００３】
以下、その構成について説明する。食器洗い機は、食器１０１等の被洗浄物を洗浄槽１０２に収納し、洗浄槽１０２に設けた前面開口部１０３を、上扉体１０４と下扉体１０５により閉塞してから、洗浄ポンプ１０６を運転し、洗浄水を噴射することにより、被洗浄物の洗浄およびすすぎ工程を行うようになっている。下扉体１０５は、下扉支持部材１０７により、前面開口部１０３の前下方に、その内面が上向き水平となる位置まで回転開閉する構成となっており、下扉体１０５の内面に食器かご１０８を引き出せる構成となっている。一方上扉体１０４は、第１の上扉支持部材１０９と第２の上扉支持部材１１０により、本体１１１の上方空間に開閉する構成となっており、上扉体１０４の開閉に必要な高さを小さく抑え、高さの小さい場所にでも、設置が可能となっており、また開成状態における上扉体１０４の前面開口部１０３より前方への突出長さを小さくできるので、被洗浄物の出し入れ等に支障がない構成となっている。
【０００４】
また、下扉支持部材１０７と第１の上扉支持部材１０９は連動部１１２により連結されており、下扉体１０５を開閉してやれば上扉体１０４も連動して開閉するため、１回の開閉操作で前面開口部１０３を開閉できることから、使い勝手のよい食器洗いを実現している。さらに、第１の上扉支持部材１０９と連動部１１２の連結部は、第１の上扉支持部材１０９に設けた円筒連結軸１１３と連動部１１２に設けた長穴部１１４によりあそびを有するよう構成されており、上扉体１０４が閉成状態に達してから、下扉体１０５のみ動作させて閉塞することが可能となっている。その結果、上扉体１０４に取り付けた扉体間シール部材１１５を、下扉体１０５に設けた扉体間シール受け１１６によってシールすることが可能となり、水漏れを防止できる。
【特許文献１】特開２００２−２１９０８３号公報
【発明の開示】
【発明が解決しようとする課題】
【０００５】
しかしながら、上記食器洗い機の扉体開閉構成では、第１の上扉支持部材１０９と連動部１１２の連結部が扉体開閉動作中のすべての位置においてあそびを有しているので、上扉体１０４が下扉体１０５に対して先行して閉成するための規制がないため、下扉体１０５に対する上扉体１０４の位置が不安定であり、扉体の開閉動作やシールが不安定であるという課題を有していた。
【０００６】
本発明は、上記従来の課題を解決するもので、確実なシールと安定した扉体の開閉動作を実現することを目的としている。
【課題を解決するための手段】
【０００７】
前記従来の課題を解決するために、本発明の食器洗い機は、本体と、前記本体に設けた洗浄槽と、前記洗浄槽に設けた開口部と、前記開口部を開閉自在に覆う複数個の扉体と、前記複数個の扉体を連動して開閉動作させる連動機構とを備え、
前記連動機構は、複数個の扉体を夫々支持する複数個の扉体支持手段を、夫々複数個の連結点で連動部と連結し、前記扉体支持手段と前記連動部とのいずれか一方に長穴部を設けることにより前記複数個の連結点のうちいずれか一つの連結点があそびを有し、前記あそびを規制するガイド手段を設けることにより、一方の扉体が開閉動作の所定位置にある時のみ、他方の扉体を開放方向へ所定量動作させることが可能な構成としたものであり、扉体の閉塞動作の途中では複数の扉体はあそびによるがたつきなく連動して動作するので、
一方の扉体を他方の扉体に対して確実に先行して閉塞させることが可能であり、また、例えば、一方の扉体が閉成した後は、他方の扉体を単独で閉塞動作させることができるので、安定した開閉動作と、確実な扉体間のシールを実現できる。
【発明の効果】
【０００８】
以上のように本発明によれば、確実なシールと安定した扉体の開閉動作を実現することができる。
【発明を実施するための最良の形態】
【０００９】
第１の発明は、本体と、前記本体に設けた洗浄槽と、前記洗浄槽に設けた開口部と、前記開口部を開閉自在に覆う複数個の扉体と、前記複数個の扉体を連動して開閉動作させる連動機構とを備え、
前記連動機構は、複数個の扉体を夫々支持する複数個の扉体支持手段を、夫々複数個の連結点で連動部と連結し、前記扉体支持手段と前記連動部とのいずれか一方に長穴部を設けることにより前記複数個の連結点のうちいずれか一つの連結点があそびを有し、前記あそびを規制するガイド手段を設けることにより、一方の扉体が開閉動作の所定位置にある時のみ、他方の扉体を開放方向へ所定量動作させることが可能な構成としたもので、扉体の閉塞動作の途中では複数の扉体はあそびによるがたつきなく連動して動作するので、一方の扉体を他方の扉体に対して確実に先行して閉塞させることが可能であり、また、例えば、一方の扉体が閉成した後は、他方の扉体を単独で閉塞動作させることができるので、安定した開閉動作と、確実な扉体間のシールを実現できる。また、扉体同士を連結点でのあそびによるがたつきなく直接連結して連動させるので、連動のための複雑な機構や、駆動手段を必要としないため、簡単な構成で上記の効果を得られる。
【００１０】
第２の発明は、特に、第１の発明において、前記ガイド手段は、前記扉体支持手段と前記連動部とのいずれか一方に設けられたガイド突起部と、他方に設けられたガイド溝部とから構成され、前記ガイド溝部が前記ガイド突起部の動作を規制することで、一方の扉体が開閉動作の所定位置にある時のみあそびを有する構成としたものである。
【００１１】
第３の発明は、特に、第１又は第２の発明において、一方の扉体が開閉動作の所定位置にある時、単独で所定量動作可能な他方の扉体を開放する方向に付勢したもので、他方の扉体の単独での動作の確実性を高めることが可能であり、より安定した開閉動作と、より確実な扉体間のシールを実現できる。
【００１２】
第４の発明は、特に、第１〜第３のいずれか一つの発明において、所定位置は、一方の扉体が閉成状態にある位置としたもので、一方の扉体が閉成した後は、他方の扉体を単独で閉塞動作させることができるので、安定した開閉動作と、確実な扉体間のシールを実現できる。
【００１３】
以下、本発明の実施の形態について図面を参照しながら説明する。なお、この実施の形態によって、本発明が限定されるものではない。
【００１４】
（実施の形態１）
図１は、本発明の第１の実施の形態における食器洗い機の扉体閉成時の側壁部断面図、図２は、同食器洗い機の扉体開成時の側壁部断面図、図３は、同食器洗い機の扉体閉成時の斜視図、図４は、同食器洗い機の扉体開成時の斜視図、図５は、同食器洗い機の第４の連結点の動作説明図、図６は、同食器洗い機の減速機構の動作説明図、図７は、同食器洗い機の不完全閉成防止手段の動作説明図である。
【００１５】
食器洗い機の本体１は、側方から見た時、上部の外郭形状が、前面１ａから背面１ｂに
かけて上方へ膨出する略円弧状となっており、前面形状は略平面形状となっている。本体１内部には上部形状が本体１上部の円弧状部の内面に沿うように上面から背面にかけて上方へ膨出する略円弧状に形成された洗浄槽２が設けられており、洗浄槽２の内部には、食器３などの被洗浄物をセットする食器かご４が収納されている。
【００１６】
洗浄槽２には前面から上面にかけて開口する開口部５が設けられており、上部、下部の夫々を上扉体６と下扉体７により開閉するよう構成されている。開口部５の上端位置は、円弧形状の頂部近傍に設けられている。また、開口部５の周囲には、シール部材８が取付けられており、上扉体６に設けた上扉体シール受け６ａと、下扉体７に設けた下扉体シール受け７ａとによって、開口部５のシールを構成している。上扉体６には扉体間シール部材９が取付けられており、下扉体７に設けた扉体間シール受け７ｂとによって、上下扉体間のシールを構成している。
【００１７】
上扉体６の縦断面形状は、本体１の上面形状と同じく外方へ膨出する略円弧状に形成されており、上扉体６の下端は、本体１の外郭の略円弧形状部分の下端部近傍１ｃ、上端は略円弧形状の上端部近傍１ｄ（頂部近傍）となっている。また、上扉体６には洗浄槽２の内部を視認するための窓１０が設けられている。
【００１８】
上扉体６は、上扉支持部材１１と固定点１２で固定されている。上扉支持部材１１は、一端が洗浄槽２側壁に設けた第１の支持軸１３ａに回転自在に軸支された第１の動作規制部１３と第１の連結点１３ｂで回転自在に連結され、また、一端が洗浄槽２側壁に設けた第２の支持軸１４ａに回転自在に軸支された第２の動作規制部１４と第２の連結点１４ｂで回転自在に連結されている。扉体の閉成状態で、第１の支持軸１３ａと第２の支持軸１４ａは、夫々第１の連結点１３ｂと第２の連結点１４ｂより上方に位置しており、第１の支持軸１３ａと第１の連結点１３ｂは、夫々第２の支持軸１４ａと第２の連結点１４ｂより開口部５側に設けられている。
【００１９】
また扉体の閉成状態で、第１の支持軸１３ａと第１の連結点１３ｂを結んだ直線１３ｃ（一点鎖線）と、第２の支持軸１４ａと第２の連結点１４ｂを結んだ直線１４ｃ（一点鎖線）は、上扉体シール受け６ａの上端と下端を結んだ直線６ｃ（一点鎖線）と略平行となるよう構成されている。また、第１の支持軸１３ａと第１の連結点１３ｂを結んだ直線１３ｃの長さは、第２の支持軸１４ａと第２の連結点１４ｂを結んだ直線１４ｃの長さより短くなるよう構成されている。
【００２０】
下扉体７は、本体１の前面形状と同じく略平面形状となっており、洗浄槽２の開口部５下端部近傍で第３の支持軸１５ａにより回転自在に軸支された下扉支持部材１５に固定されている。洗浄槽２の側壁には、扉体開成時に、下扉支持部材１５と当接する第１のストッパー部１６が設けられており、下扉体７が、開口部５の前下方にその内面が上向き水平となる位置まで開成するよう構成されている。下扉体７には押しボタンスイッチ１７と、洗浄槽２側壁に設けた係止部１８に係止して、下扉体７を開口部５を閉成した状態で固定するロック手段１９が設けられており、押しボタンスイッチ１７と連動して、係止部１８からロック手段１９を解除できるようにしている。
【００２１】
また、一端が第３の連結点２１で下扉支持部材１５と回転自在に連結され、他端が第４の連結点２２で上扉支持部材１１と回転自在に連結された連動部２３により、上扉体６と下扉体７は連動して開閉する構成となっている。また、第４の連結点２２は、連動部２３に設けた長穴部２２ａと、上扉支持部材１１に設けた円筒連結軸２２ｂにより構成されており、閉成状態の上扉体６に対して、下扉体７が開放する方向にあそびを有している。
【００２２】
連動部２３にはガイド突起部２４（ガイド手段）が、上扉支持部材１１にはガイド溝部
２５（ガイド手段）が設けられており、扉体の閉成状態から開成状態にかけて係合するよう構成されている。また、ガイド溝部２５は、上扉体６が閉成状態では、第４の連結点２２があそびを有するようガイド突起部２４の所定動作領域を有し、開放途中から開成状態にかけては、第４の連結点２２のあそびを無くするよう、ガイド突起部２４の動作を規制する形状となっている。
【００２３】
上扉支持部材１１に設けた第１の保持部２６と、連動部２３に設けた第２の保持部２７を第１のスプリング２８（引張りコイルバネ）で連結し、扉体の閉成状態で上扉体６に対して、下扉体７を開放方向に弾性的に付勢するよう構成している。また、扉体の開放途中から開成状態にかけては、第１のスプリング２８は、上・下扉体６、７を開放する方向に連動部２３を弾性的に付勢している。
【００２４】
さらに、第２の動作規制部１４に設けた第３の保持部２９と洗浄槽２側壁に設けた第４の保持部３０を第２のスプリング３１（引張りコイルバネ）で連結し、閉成状態から開放途中（閉成状態から下扉体が４５°程度回転）では、上扉体６が開放する方向に第２の動作規制部１４を弾性的に付勢し、開放途中から開成状態にかけては、上扉体６が閉塞する方向に第２の動作規制部１４を弾性的に付勢するよう構成している。なお、上扉体６の閉成状態において、第２のスプリング３１の付勢力による上扉体６の開放方向へのモーメントは、上扉体６の自重による閉塞方向へのモーメントより小さい設定としている。
【００２５】
さらに、連動部２３に設けた第５の保持部３２と洗浄槽２側壁に設けた第６の保持部３３を第３のスプリング３４（引張りコイルバネ）で連結し、閉成状態から開放途中（閉成状態から下扉体が７０°程度回転）では、上・下扉体６、７が開放する方向に連動部２３を弾性的に付勢し、開放途中から開成状態にかけては、上・下扉体６、７が閉塞する方向に連動部２３を弾性的に付勢するよう構成している。
【００２６】
洗浄槽２側壁に設けた第４の支持軸３５により回転自在に支持された減速部材３６は、扉体開放途中から開成にかけて、上扉支持部材１１に設けた摺動部３７と当接するよう構成されている。減速部材３６に設けた第７の保持部３８と洗浄槽２側壁に設けた第８の保持部３９は第４のスプリング４０（引張りコイルバネ）で連結されており、減速部材３６と摺動部３７が当接後、扉体が開放するにつれて第７の保持部３８と第８の保持部３９の距離が大きくなるよう構成されている。また、洗浄槽２側壁に設けた第２のストッパー部４１によって、第７の保持部３８と第８の保持部３９の距離は所定長さより小さくならないよう構成されている。減速部材３６と摺動部３７の当接する接点は、扉体が開放するにつれて、第４の支持軸３５に近づくよう構成されている。
【００２７】
上扉支持部材１１には、上扉体６の下端より下方に突出した第１の上扉突起部４２が設けられている。また、第１の上扉突起部４２の上部には、第１の上扉突起部４２より高さが大きく前方に突出した第２の上扉突起部４３が設けられている。下扉体７には、下扉突起部４４が設けられており、上・下扉体６、７が所定閉成位置に閉塞している時、下扉突起部４４は、第２の上扉突起部４３より上方に位置するよう構成されている。
【００２８】
以上のように構成された食器洗い機についてその作用を説明する。
【００２９】
押しボタンスイッチ１７を押すことで、係止部１８から、ロック手段１９が解除され、第１のスプリング２８と第３のスプリング３４によって付勢された連動部２３が扉体開放方向に動作する。また、第１のスプリング２８は、上扉体６に対して、下扉体７を開放する方向に付勢しており、かつ、第４の連結点２２があそびを有していることで、開放初期は下扉体７のみが開放し、上扉体６は閉成位置に留まっている。
【００３０】
長穴部２２ａが円筒連結軸２２ｂのあそび領域を動作しきると、長穴部２２ａと円筒連結軸２２ｂが連結され、上扉支持部材１１に連動部２３に付勢されていた扉体開放方向への力が伝達される。それに加えて、第２のスプリング３１による第２の動作規制部１４への扉体開放方向への付勢力により、上扉体６の自重による扉体閉塞方向へのモーメントに打ち勝って、上・下扉体６、７は連動して閉成状態から下扉支持部材１５が第１のストッパー部１６と当接する開成状態まで自動的に開放する。この時、下扉体７は、その内面が上向き水平となる位置まで回転している。
【００３１】
上扉体６は、開放初期は開口部５の略円弧形状の中央部に対して、円弧の法線方向に動作するので、シール部材８と擦れることなく開放することができる。また、開放途中から開成にかけては、第１の動作規制部１３の回転角度が、第２の動作規制部１４の回転角度より大きくなるため、上扉体６は本体１上部に回りこむよう開放する。本体１の上部形状、及び上扉体６は略円弧形状をしているので、上扉体６を略円弧形状に沿わすように開放させることで、上扉体６の開放に必要な本体１上部空間を最小限に抑えることが可能となっている。
【００３２】
また、上扉体６の外形ラインと、開口部５上端より後方の本体１の外形ラインは略同一の円弧となっており、開成状態の上扉体６の開口部５より前方への突出を無くし、且つ、本体１背面より後方への突出も無くすことが可能となっている。これにより、被洗浄物の出し入れ時に上扉体６が邪魔にならない使い勝手の良さと、本体１後方に設置空間を必要としない設置性の良さを両立することが可能となっている。
【００３３】
扉体が開放するにつれて、下扉体７の自重による開放方向へのモーメントは増加し、上扉体６の自重による扉体閉塞方向へのモーメントは減少するため、上・下扉体６、７の自重による扉体連動機構全体としてのモーメントは、扉体閉成時は扉体閉塞方向に働いているが、扉体が開放するにつれて、閉塞方向のモーメントは小さくなり、開放途中で、モーメントの働く方向が逆転し、それ以降は開放するにつれて、扉体開放方向へのモーメントは大きくなる。そこで、開放途中から開成にかけては、第２のスプリング３１が、第２の動作規制部１４を扉体閉塞方向へ付勢し、第３のスプリング３４が連動部２３を扉体閉塞方向へ付勢するよう構成しており、扉体の開放速度を抑え、扉体全開時の衝撃を緩和している。
【００３４】
しかし、第２のスプリング３１と第３のスプリング３４は、上・下扉体６、７が確実に自動的に開放するよう設定する必要があり、扉体全開時の衝撃緩和も両立させるのは難しい。また、扉体が確実に全開し、且つ、扉体全開時の衝撃を確実に緩和するためには、扉体全開状態近傍で急激に扉体開放速度を抑制し、全開時の衝撃を緩和することが必要であり、第２のスプリング３１と第３のスプリング３４による減速では、力が比例的に徐々に変化するため、急激に扉体開放速度を抑制することは難しい。
【００３５】
そこで、扉体開放途中から減速部材３６により、上扉支持部材１１に扉体閉塞方向への付勢力を与える構成としている。減速部材３６は、上・下扉体支持部材１１、１５と、連動部２３による連動機構の自動開放動作とは全く独立しているため、設定の自由度が高く、また、連動機構全体として開放方向へのモーメントが大きくなる扉体開放途中から、扉体閉塞方向へのモーメントを上扉支持部材１１に加え、さらに、第４のスプリング４０による減速部材３６への付勢力は、扉体が開放するにつれて大きくなり、減速部材３６と摺動部３７の接点も扉体が開放するにつれて第４の支持軸３５に近づくため、扉体開成状態近傍で、急激に大きな扉体閉塞方向への力を上扉支持部材１１に加えることが可能であり、開放速度の抑制と、扉体全開時の衝撃の緩和をより効果的に実現できる。
【００３６】
上・下扉体６、７の全開後、下扉体７の内面上に食器かご４を引出し、被洗浄物をセッ
トする。食器かご４を下扉体７内面上に引出す構成をとっているので、食器３等の被洗浄物から垂れた汁、水滴が機外へ流出するのを防止することができる。
【００３７】
続いて、食器かご４を洗浄槽２内に収納し、下扉体７を閉塞する。上扉体６と下扉体７は連動して開閉する構成となっているので、上扉体６も同時に閉塞される。減速部材３６の上扉支持部材１１への扉体閉塞方向への付勢力は、全開状態近傍で大きくしているため、下扉体７を閉塞する起動力が小さくて良く、操作感が良い。
【００３８】
扉体の閉塞途中において、第４の連結点２２のあそびによる上扉体６のがたつきをガイド突起部２４とガイド溝部２５により規制しているので、下扉体７に対する上扉体６の位置がぐらつかず安定している。その結果、閉塞動作において、上扉体６が下扉体７に先行して閉成位置に到達するという所定動作を確実に実現できるため、上扉体６に取り付けた扉体間シール部材９を下扉体７に設けた扉体間シール受け７ｂによって確実にシールすることができる。
【００３９】
扉体が閉成する直前は、上扉体６が既に閉成しているため、上扉体６による閉成方向のモーメントはゼロとなり、扉体の連動機構に作用するモーメントは、開放方向に急激に大きくなる。前述の開放方向へのモーメントは下扉体７を閉塞するのに必要な力となるので、なるべく小さい方が望ましい。上扉体６の閉成方向へのモーメントを小さくするには、上扉体６を軽くすれば良いが、上扉体６には内部の視認性をよくするため、強化ガラス製の窓１０が設けられており、また上扉体６は構成上軽量化を図るには限界がある。そこで、上扉体６の自重の影響を小さくするために、上扉体６の自重によるモーメントを相殺するように第２の動作規制部１４に第２のスプリング３１が設けられており、上扉体６を軽量化したのと同じ効果を実現している。
【００４０】
上扉体６に食器３等が突っ張り、所定閉成位置より上方に存在する時は、図７（ｂ）に示すように下扉突起部４４が第１の上扉突起部４２と当接するため、下扉体７を閉成位置迄閉塞することができない。その結果、ロック手段１９を係止部１８に係止することができず運転できないようになっている。また、この状態で下扉体７を強引に閉塞しようとすると、上扉体６は、下方向に引っ張り込まれるが、下扉突起部４４の上端が第２の上扉突起部４３の下端に引っ掛って、上扉体６の動作を完全に拘束するが可能となり、下扉体７の閉塞を確実に不可能としている。これにより、上扉体６が浮き上がったシールが不完全な状態での運転を防止することが可能となっている。
【００４１】
上述した上・下扉体６、７の開閉機構は、洗浄槽２、及び上・下扉体６、７の左右両側に設けられている。
【００４２】
なお、本実施の形態においては、上扉支持部材１１に設けたガイド溝部２５は、上扉体６が閉成状態では、第４の連結点２２があそびを有するようガイド突起部２４の所定動作領域を有し、開放途中から開成状態にかけては、第４の連結点２２のあそびを無くするよう、ガイド突起部２４の動作を規制する形状としたが、上扉体６が開成状態で第４の連結点２２があそびを有するようガイド溝部２５とガイド突起部２４の相対位置および形状を設定すれば、上扉体６の開成状態において、さらにあそび分、余計に上扉体６を上方あるいは後方に移動させることができるので、必要に応じて開口部５をより大きく開口させることができ、被洗浄物の出し入れ時に上扉体６が邪魔にならない、さらに使い勝手の良い食器洗い機を実現することができる。
【００４３】
（実施の形態２）
図８は、第２の実施の形態における食器洗い機の扉体閉成時の斜視図、図９は、同食器洗い機のキッチンに設置した状態の側面図である。本実施の形態は、上扉体４５下端を本
体４７の外郭の略円弧形状部分の下方としたもので、上扉体４５が略円弧形状と略平面形状で構成されたものである。他の構成は上記実施の形態１と同様であり、詳細な説明は省略する。
【００４４】
食器洗い機は、シンク４６サイドに設置されるのが一般的であり、本体４７の前面をシンク４６側に向けて設置する側面設置と、本体４７側面をシンク４６側に向けて設置する正面設置とに分けられる。扉体開成状態で、側面設置された食器洗い機においては、下扉体４８はシンク４６内の水道栓４９に向けて突出し、正面設置された食器洗い機においては、下扉体４８はキッチンカウンタ５０上の調理スペースに覆い被さるよう突出する。
【００４５】
近年、食器洗い機は、大型の食器や調理器具等の洗浄も可能な、大容量タイプの物が望まれており、キッチンカウンタ５０上の限られた設置面積で大容量化を実現するためには、食器洗い機の背を高くする必要があった。しかしながら、上扉体４５の下端を本体４７の外郭の略円弧形状部分の下端部５１近傍に設けた場合、下扉体４８が長くなるため、扉体開成状態で、下扉体４８が水道栓に干渉したり、調理スペースをなくしてしまうという課題を有していた。
【００４６】
本発明の構成によれば、背の高い大容量タイプの食器洗い機において、上扉体４５と下扉体４８の分割を本体４７の外郭の略円弧形状部分の下方に設けることで、下扉体４８を短くすることが可能であり、扉体開成時の下扉体４８の前方への突出を短くできるため上述の課題を解決できる。また、上扉体４５が長くなってしまうことで、扉体開成時に上扉体４５が、開口部５２より前方へ突出してしまうが、食器洗い機の背が高く、開口部５２上端位置が上方に位置しているため、使用者の庫内へのアクセスに上扉体４５が、邪魔になることがない。
【産業上の利用可能性】
【００４７】
以上のように、本発明にかかる食器洗い機は、扉体の閉塞動作の途中では複数の扉体はあそびによるがたつきなく連動して動作させ、また、扉体開閉動作の所定位置、例えば、一方の扉体が閉成した後は、他方の扉体を単独で閉塞動作させることができるので、安定した開閉動作と、確実な扉体間のシールを実現できるものであり、食器洗い機に限らず複数の扉体を使用する洗濯機、洗浄機など各種機器に適用できる。
【図面の簡単な説明】
【００４８】
【図１】本発明の第１の実施の形態における食器洗い機の扉体閉成時の側壁部断面図
【図２】同食器洗い機の扉体開成時の側壁部断面図
【図３】同食器洗い機の扉体閉成時の斜視図
【図４】同食器洗い機の扉体開成時の斜視図
【図５】（ａ）同食器洗い機の扉体閉成時の第４の連結点の動作説明図（ｂ）同食器洗い機の扉体開放初期の第４の連結点の動作説明図
【図６】（ａ）同食器洗い機の扉体開成時の減速機構の動作説明図（ｂ）同食器洗い機の扉体開放途中の減速機構の動作説明図
【図７】（ａ）同食器洗い機の上扉体正規閉成時の不完全閉成防止手段の動作説明図（ｂ）同食器洗い機の上扉体不正規閉成時の不完全閉成防止手段の動作説明図
【図８】本発明の第２の実施の形態における食器洗い機の扉体閉成時の斜視図
【図９】同食器洗い機のキッチンに設置した状態の側面図
【図１０】従来の食器洗い機の側断面図
【図１１】同食器洗い機の扉体閉成時の側壁部断面図
【図１２】同食器洗い機の扉体開放初期の側壁部断面図
【図１３】同食器洗い機の扉体開成時の側壁部断面図
【符号の説明】
【００４９】
１      本体
２      洗浄槽
５      開口部
６      上扉体（扉体）
７      下扉体（扉体）
１１    上扉支持部材
１５    下扉支持部材
２２ａ  長穴部
２２ｂ  円筒連結軸
２３    連動部
２４    ガイド突起部（ガイド手段）
２５    ガイド溝部（ガイド手段）
【図１】
0004449937.tif 000002
【図２】
0004449937.tif 000003
【図３】
0004449937.tif 000004
【図４】
0004449937.tif 000005
【図５】
0004449937.tif 000006
【図６】
0004449937.tif 000007
【図７】
0004449937.tif 000008
【図８】
0004449937.tif 000009
【図９】
0004449937.tif 000010
【図１０】
0004449937.tif 000011
【図１１】
0004449937.tif 000012
【図１２】
0004449937.tif 000013
【図１３】
0004449937.tif 000014